(57)【要約】【課題】ＬＥＤを用いた照明装置の省エネを高めるとともに、集客力も高めることができる自動販売機を提供することを目的とする。【解決手段】商品サンプル展示室１３内の上下左右に複数列配置した商品サンプル１４を照明する照明装置２１で、照明装置２１はＬＥＤ素子２６を有する照明ユニット２２を備え、商品サンプル１４に対して上下両方向から照明ユニット２２で個別に照射可能としたものであり、複数個の商品サンプル１４に対して１つの照明ユニット２２での照明が可能となり、販売状況に応じたＬＥＤの照射をすることで照明装置２１の省エネを高めるとともに、集客力も高めることができる。【選択図】図２
2011186885.tif 000002
【特許請求の範囲】
【請求項１】
展示室内の上下左右に複数列配置した商品サンプルを照明する照明装置で、前記照明装置はＬＥＤを備え前記商品サンプルに対して上下両方向から前記ＬＥＤで個別に照射可能としたもので、前記照明装置は前記商品サンプルの複数個を１つの照明ユニットとして構成したことを特徴とする自動販売機。
【請求項２】
前記照明ユニットは、ユニットベースとＬＥＤ基板とユニットカバーとを備え、前記ユニットカバーは前記ユニットベースに対してスライドして着脱可能としたことを特徴とする請求項１に記載の自動販売機。
【請求項３】
前記展示室内の横列略全幅の商品サンプルに対して前記複数の照明ユニットを一体に配置する固定手段を備えたことを特徴とする請求項１または２に記載の自動販売機。
【請求項４】
商品サンプルを横列上下に備える固定手段に、上方商品サンプルへの照明ユニットと下方商品サンプルへの照明ユニットを一体に配置したことを特徴とする請求項１から３のいずれか一項に記載の自動販売機。
【請求項５】
前記展示室内の最上段横列に位置する複数の照明ユニットの数を下方の横列に位置する複数の照明ユニットの数より多く配置したことを特徴とする請求項１から４のいずれか一項に記載の自動販売機。
【発明の詳細な説明】
【技術分野】
【０００１】
本発明は、商品サンプルを照射する照明装置を備えた自動販売機に関するものである。
【背景技術】
【０００２】
近年、商品サンプルの照明装置に、ＬＥＤを光源として用いるようにした自動販売機が知られている。（例えば、特許文献１参照）
上記特許文献１には、蛍光灯を用いた従来の自動販売機の仕様を大幅に変更することなくＬＥＤ照明の仕様するために、ＬＥＤを光源とした照明ユニットを着脱自在に支持する支持部材を備え、商品サンプルの上方または下方に幅方向に並べて配置したものが開示されている。
【０００３】
これにより、蛍光灯を用いた従来の自動販売機の仕様を大幅に変更することなくＬＥＤ照明とすることができるとともに、商品サンプル室の幅寸法の違いに容易に対応することができるものである。
【先行技術文献】
【特許文献】
【０００４】
【特許文献１】特開２００９−２１１３９８号公報
【発明の概要】
【発明が解決しようとする課題】
【０００５】
しかしながら、上記従来の自動販売機では、蛍光灯を用いた従前の自動販売機の商品サンプル照明装置をＬＥＤ光源に置き換えることを目的としているため、蛍光灯に比べ長寿命であるＬＥＤを用いることでの蛍光灯の交換が不要となりメンテナンス性が高まるものの、従前の蛍光灯と同程度の照度を得ようとすると多くのＬＥＤが必要となり、省エネ効果を得ることができないという課題を有していた。
【０００６】
本発明は上記従来の課題を解決するものであり、ＬＥＤを用いた照明装置の省エネを高めるとともに、集客力も高めることができる自動販売機を提供することを目的とする。
【課題を解決するための手段】
【０００７】
上記従来の課題を解決するために、本発明の自動販売機は、展示室内の上下左右に複数列配置した商品サンプルを照明する照明装置で、前記照明装置はＬＥＤを備え前記商品サンプルに対して上下両方向から前記ＬＥＤで個別に照射可能としたもので、前記照明装置は前記商品サンプルの複数個を１つの照明ユニットとして構成したものである。
【０００８】
これによって、簡素な構造でＬＥＤを用いた照明装置の省エネを高めるとともに、集客力も高めることができる自動販売機を提供することができる。
【発明の効果】
【０００９】
本発明の自動販売機は、展示室内の上下左右に複数列配置した商品サンプルを照明する照明装置で、前記照明装置はＬＥＤを備え前記商品サンプルに対して上下両方向から前記ＬＥＤで個別に照射可能としたもので、前記照明装置は前記商品サンプルの複数個を１つの照明ユニットとして構成したことにより、簡素な構造でＬＥＤを用いた照明装置の省エネを高めるとともに、集客力も高めることができる。
【図面の簡単な説明】
【００１０】
【図１】本発明の実施の形態１における自動販売機の正面図
【図２】同実施の形態における自動販売機の照明装置の部分概略正面図
【図３】同実施の形態における自動販売機の照明装置の部分概略側面図
【図４】同実施の形態における自動販売機の内扉の正面図
【図５】同実施の形態における自動販売機の内扉の斜視図
【図６】同実施の形態における自動販売機の照明装置の要部斜視図
【図７】同実施の形態における自動販売機の照明装置の要部分解斜視図
【図８】同実施の形態における自動販売機の照明ユニットの要部分解斜視図
【図９】同実施の形態における自動販売機の照明装置の要部断面図
【発明を実施するための形態】
【００１１】
請求項１に記載の発明は、展示室内の上下左右に複数列配置した商品サンプルを照明する照明装置で、前記照明装置はＬＥＤを備え前記商品サンプルに対して上下両方向から前記ＬＥＤで個別に照射可能としたもので、前記照明装置は前記商品サンプルの複数個を１つの照明ユニットとして構成したものであり、簡素な構造でＬＥＤを用いた照明装置の省エネを高めるとともに、集客力も高めることができる。
【００１２】
請求項２に記載の発明は、請求項１に記載の発明において、前記照明ユニットは、ユニットベースとＬＥＤ基板とユニットカバーとを備え、前記ユニットカバーは前記ユニットベースに対してスライドして着脱可能としたものであり、照明ユニットの組立性とメンテナンス性を高めることができる。
【００１３】
請求項３に記載の発明は、請求項１または２に記載の発明において、前記展示室内の横列略全幅の商品サンプルに対して前記複数の照明ユニットを一体に配置する固定手段を備えたものであり、照明装置の組立性を高めることができる。
【００１４】
請求項４に記載の発明は、請求項１から３のいずれか一項に記載の発明において、商品サンプルを横列上下に備える固定手段に、上方商品サンプルへの照明ユニットと下方商品サンプルへの照明ユニットを一体に配置したものであり、さらに照明装置の組立性を高めることができる。
【００１５】
請求項５に記載の発明は、請求項１から４のいずれか一項に記載の発明において、前記展示室内の最上段横列に位置する複数の照明ユニットの数を下方の横列に位置する複数の照明ユニットの数より多く配置したものであり、展示室全体を最上段から下方に側面部も含めて効率的に照明することができ、展示室内および商品サンプルの視認性を高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における自動販売機の正面図、図２は同実施の形態における自動販売機の照明装置の部分概略正面図、図３は同実施の形態における自動販売機の照明装置の部分概略側面図、図４は同実施の形態における自動販売機の内扉の正面図、図５は同実施の形態における自動販売機の内扉の斜視図、図６は同実施の形態における自動販売機の照明装置の要部斜視図、図７は同実施の形態における自動販売機の照明装置の要部分解斜視図、図８は同実施の形態における自動販売機の照明ユニットの要部分解斜視図、図９は同実施の形態における自動販売機の照明装置の要部断面図である。
【００１８】
図１から図９において、自動販売機本体１０の前面を覆う外扉１１はヒンジ機構１２を
介して回動自在に軸支されており、外扉１１の上部には、商品サンプル展示室１３を有し、内部に缶、ビン等の商品サンプル１４を備え、商品サンプル１４に対応してそれぞれ選択ボタン１５を設けている。
【００１９】
また、商品サンプル展示室１３は断熱性を有する内扉４０の前面に形成され、商品サンプル展示室１３内の上下左右に複数列配置した商品サンプル１４を照らす照明装置２１は商品サンプル１４の上下にそれぞれ配置している。
【００２０】
また、商品サンプル展示室１３の下方には、商品の広告などを掲示する広告パネル室１６と貨幣を投入する金銭投入口１７および携帯端末などの非接触端末の電子マネーによる決済が可能な読書き手段１８と人の接近を検知する人感センサー２８とを備えている。また、金銭投入口１７や読書き手段１８の下部には、利用者が選択した商品をしゃがみ姿勢で取り出す商品取出口１９が備えられている。
【００２１】
また、照明装置２１は、横列略全幅の商品サンプル１４に対して複数の照明ユニット２２を一体に配置する固定手段４２に複数の照明ユニット２２を係止したものである。そして、照明ユニット２２はユニットベース２３とＬＥＤ基板２４とユニットカバー２５とを備え、ユニットベース２３は透明性を有した樹脂成形品で、ユニットカバー２５は半透明性を有した樹脂成形品からなる。
【００２２】
また、照明ユニット２２は、商品サンプル１４の複数個、本実施の形態では２つの商品サンプル１４に対して１つのユニットとしたもので、個々の照明ユニット２２毎にＬＥＤの点滅制御を可能としている。なお、個々の照明ユニット２２に対する商品サンプル１４の数は２個に限定されるものでなく、３個以上としてもよく必要に応じて適宜選択可能である。
【００２３】
ＬＥＤ基板２４は略Ｌ字状に形成し長辺側には複数のＬＥＤ素子２６を直線状に備え、端部には接続端子３１を備えている。本実施の形態では、１つの照明ユニット２２のＬＥＤ基板２４に４つのＬＥＤ素子２６を備えている。したがって、２つの商品サンプル１４を１つの照明ユニット２２で個別照明するもので、換言すれば、１つの商品サンプル１４を２つのＬＥＤ素子２６で照射することになる。ＬＥＤ素子２６の輝度から上記設定が、商品サンプル１４の照度および視認性とコストとの最適バランスを得ることができる。
【００２４】
また、ユニットカバー２５には係合爪２７を、対向配置したユニットベース２３には係合穴２８を有し、ユニットカバー２５の係合爪２７をユニットベース２３の係合穴２８に挿入して横方向にスライドすることで着脱可能としている。そして、スライド終了近傍でユニットカバー２５の端部に形成した係合穴３０にユニットベース２３に形成した突起部２９が係合することでユニットカバー２５のスライドを係止可能としている。なお、ユニットカバー２５はユニットベース２３に対してＬＥＤ基板２４の複数のＬＥＤ素子２６を塞がない形状としている。
【００２５】
ＬＥＤ基板２４はＬＥＤ素子２６側をユニットベース２３に向けて、下方より図示しない爪に係止される。この時、ＬＥＤ基板２４の接続端子３１に対向するユニットベース２３には開口部を有し、ユニットベース２３の上方より配線コネクタを接続端子３１に接続可能としている。
【００２６】
照明装置２１の具体的な組立は、照明ユニット２２を構成するＬＥＤ基板２４をユニットベース２３に向けて、下方より図示しない爪に係止し、その状態で、横列略全幅の商品サンプルに応じた固定手段４２にそれぞれ所定個数併設する。そして、ユニットベース２３の上方より配線コネクタを接続端子３１に接続した後、配線をカバーするユニットカバ
ー２５をユニットベース２３にスライド係止する。これで横列略全幅の商品サンプル１４に応じた照明装置２１となる。
【００２７】
なお、商品サンプル１４を横列上下に備える固定手段４２に対しては、上方商品サンプル１４への照明ユニット２２と下方商品サンプル１４への照明ユニット２２とを一体に配置している。
【００２８】
また、横列略全幅の商品サンプルに応じた固定手段４２にそれぞれ所定個数併設した照明装置２１は、商品サンプル１４を固定する商品サンプル固定台４１内の両側端に支持する構造としている。
【００２９】
また、商品サンプル展示室１３内の最上段横列に位置する複数の照明ユニット２２の数を下方の横列に位置する複数の照明ユニット２２の数より多く配置している。具体的には、商品サンプル展示室１３内の最上段の上方から照射する照明装置２１には、商品サンプル固定台４１が不要であり、商品サンプル固定台４１に固定される下方の固定手段４２に対して、幅寸法の制約が不要となり、商品サンプル展示室の略全幅に亘って配置可能となるためである。
【００３０】
また、商品サンプル１４の底面には開口を有しており、商品サンプル１４に対する下方向からの照明ユニット２２によるＬＥＤ素子２６は商品サンプル１４の内部を照射する構造となっている。ＬＥＤ素子２６は指向性が強いため商品サンプル１４から比較的離れて配置しても確実に内部を照射することができる。
【００３１】
また、照明装置２１の照明ユニット２２は対応した商品サンプル１４に対して照明ユニット毎に個別に所定のパターンで点滅制御を行うことができる設定としている。具体的には、販売待機時に照明装置２１の照明ユニット毎の点滅パターンを上段から下段に順次点滅したり、上段、あるいは下段のみを順次点滅したり、ランダムに点滅することができる。
【００３２】
また、図９に示すように、照明ユニット２２を固定した固定手段４２は、水平面から前方を５度程度下げて傾斜して本体に支持されている。
【００３３】
なお、本実施の形態では、人の接近を検知する人感センサー２０を備えているので、人感センサー２０が人の接近を検知した場合のみ照明手段２１を全点灯することで、通常の人のいない状態では上記の照明ユニット毎の点滅パターンを行うことで照明に要する消費電力量の低減を図ることができ、また、人感センサー２０が感知しない程度の距離からの利用者には、商品サンプル１４への照明ユニット毎の点滅パターンにより、アピール度も高まり、購買意欲も高まる効果も期待できる。
【００３４】
また、本実施の形態の人感センサー２０は必ずしも必要とするものではなく、たとえば、金銭投入口１７への投入を検知して照明手段２１を全点灯する構成としてもよい。
【００３５】
以上のように構成された自動販売機について、以下その動作、作用を説明する。
【００３６】
自動販売機本体１０の商品サンプル展示室１３内の上下左右に複数列配置した商品サンプル１４を照らす照明装置２１は、商品サンプル１４の上下にそれぞれ配置して、ＬＥＤ基板２４に複数のＬＥＤ素子２６を備えた照明ユニット２２から構成しているので、照明ユニット２２毎に照射可能となり、人感センサー２０が人の接近を検知しない販売待機状態では、照明ユニット毎の点滅パターンを上段から下段に順次点滅したり、上段、あるいは下段のみを順次点滅したり、ランダムに点滅することで照明装置２１に要する消費電力
量を低減することができるとともに、人感センサー２０が感知しない程度の距離からの利用者には、商品サンプル１４への照明ユニット毎の点滅パターンにより、アピール度も高まり、購買意欲を高めることができる。
【００３７】
また、商品サンプル１４の底面には開口を有しており、商品サンプル１４に対する下方向からの照明ユニット２２によるＬＥＤ素子２６は商品サンプル１４の内部を照射する構造となっているので、ＬＥＤ素子２６の指向性の特徴を生かして商品サンプル１４の視認性を従来の蛍光灯より高めることができる。
【００３８】
また、照明装置２１は商品サンプル１４の複数個に対して１つの照明ユニット２２が個別に点滅制御するものであり、照明ユニット２２の総数を抑えることで照明装置２１の組立工数も低減され、低コスト化を図ることができる。
【００３９】
また、人の接近を検知する人感センサー２０を備え、人感センサー２０が人の接近を検知した場合のみ照明手段２１を全点灯することで、通常の人のいない状態では照明ユニット毎の点滅パターンを行うことで、確実に照明に要する消費電力量の低減を図ることができる。
【００４０】
また、ユニットカバー２５には係合爪２７を、対向配置したユニットベース２３には係合穴２８を有し、ユニットカバー２５の係合爪２７をユニットベース２３の係合穴２８に挿入して横方向にスライドすることで着脱可能としているので、照明ユニット２２の組立性とメンテナンス性を高めることができる。
【００４１】
また、照明装置２１は、照明ユニット２２を構成するＬＥＤ基板２４をユニットベース２３に向けて、下方より爪に係止し、その状態で、横列略全幅の商品サンプルに応じた固定手段４２にそれぞれ所定個数の照明ユニット２２を設置し、ユニットベース２３の上方より配線コネクタを接続端子３１に接続した後、配線をカバーするユニットカバー２５をユニットベース２３にスライド係止することで横列略全幅の商品サンプル１４に応じた照明装置２１となるので、照明装置２１の商品サンプル展示室１３への組立性を高めることができる。
【００４２】
また、商品サンプル１４を横列上下に備える固定手段４２に対しては、上方商品サンプル１４への照明ユニット２２と下方商品サンプル１４への照明ユニット２２とを一体に配置しているので、さらに照明装置２１の商品サンプル展示室１３への組立性を高めることができる。
【００４３】
また、商品サンプル展示室１３内の最上段横列に位置する複数の照明ユニット２２の数を下方の横列に位置する複数の照明ユニット２２の数より多く配置しているので、商品サンプル展示室１３全体を最上段から下方に側面部も含めて効率的に照明することができ、商品サンプル展示室１３内および商品サンプル１４の視認性を高めることができる。
【００４４】
また、商品サンプル展示室１３の下方に配置した広告パネル室１６の上部には、照明ユニット２２を備えた照明装置２１からの光を導入するためのスリットを設けることで、照明ユニット光を有効に活用でき、広告パネル室１６の視認性を高めることができる。
【００４５】
また、上方へ照射する照明ユニット２２のＬＥＤ素子２６は前後方向で相対的に後方に位置し、照明ユニット２２を固定した固定手段４２は、水平面から前方を下げて傾斜して本体に支持されているので、上方へ照射する照明ユニット２２のＬＥＤ素子２６は固定手段４２が傾斜した分だけ後方から前方上部へ照射されることになる。すなわち、商品サンプル固定台４１の前方に配置した商品の透光性を有する冷・温ラベル等への照射が確実と
なり、ラベル等の視認性を高めることができる。また、底面に開口を有する上方の商品サンプル１４の内部前面への照射も確実となり、上方の商品サンプル１４の視認性も高めることができる。
【００４６】
また、下方へ照射する照明ユニット２２のＬＥＤ素子２６は前後方向で相対的に前方に位置し、照明ユニット２２を固定した固定手段４２は、水平面から前方を下げて傾斜して本体に支持されているので、下方へ照射する照明ユニット２２のＬＥＤ素子２６は固定手段４２が傾斜した分だけ前方から後方下部へ照射されることになる。したがって、下方の商品サンプル１４は上方前方から照射され、下方の商品サンプル１４の視認性を高めることができる。
【００４７】
また、ユニットカバー２５は半透明性を有した樹脂成形品からなるので、ユニットベース２３の上方より接続端子３１に接続した配線をユニットカバー２５でカバーした際に配線を目立たないようにすることができ、意匠性を高めることができる。
【００４８】
なお、本実施の形態では、人の接近を検知する人感センサー２０を備えたもので説明したが、たとえば、金銭投入口１７への投入を検知して照明手段２１の待機状態と接客状態とを制御してもよい。
【００４９】
また、個々の照明ユニット２２に対する商品サンプル１４の数は２個で説明したが、３個以上としてもよく必要に応じて適宜選択可能である。
【産業上の利用可能性】
【００５０】
以上のように、本発明にかかる自動販売機は、商品サンプルに対して個別の照明が可能となり、販売状況に応じたＬＥＤの照射をすることができ、ＬＥＤを用いた照明装置の省エネを高めるとともに、集客力も高めることができるので、照明装置を備えたあらゆる自動販売機器の用途に適用できる。
【符号の説明】
【００５１】
１０  自動販売機本体
１３  商品サンプル展示室
１４  商品サンプル
２０  人感センサー
２１  照明装置
２２  照明ユニット
２３  ユニットベース
２４  ＬＥＤ基板
２５  ユニットカバー
２６  ＬＥＤ素子
４２  固定手段
【図１】
2011186885.tif 000003
【図２】
2011186885.tif 000004
【図３】
2011186885.tif 000005
【図４】
2011186885.tif 000006
【図５】
2011186885.tif 000007
【図６】
2011186885.tif 000008
【図７】
2011186885.tif 000009
【図８】
2011186885.tif 000010
【図９】
2011186885.tif 000011